(57)【要約】【課題】外部のＶＣＲに出力するパーシャルＴＳの頭切れや、外部のＶＣＲでの未録画部分の発生を回避するデジタル放送受信装置を提供する。【解決手段】デジタル放送受信装置で受信された番組を含むＴＳは、ＴＳデコーダ４０５で選択された番組のパーシャルＴＳとしてＨＤＤ４０１に記録される。この際、ＣＰＵ４１０は、番組の制御情報を記載したＰＭＴ等の内容から番組付帯情報を生成し、フラッシュＲＯＭ４１１に記録する。番組付帯情報には、コピー制御情報、ビットレート情報や、ＣＡＴ、ＥＭＭのＰＩＤが記載されている。外部のＶＣＲ４２０で番組を録画するためパーシャルＴＳを出力する際、番組付帯情報を参照し、必要なＰＭＴ等の更新指示やＶＣＲの記録モードの設定指示等がパーシャルＴＳの出力前になされる。【選択図】　図１
2004104752.tif 000002
【特許請求の範囲】
【請求項１】
外部の記憶装置と接続されたデジタル放送受信装置であって、
第１記憶手段と、
受信されたトランスポートストリームから番組を構成するエレメンタリストリームと、当該番組の制御情報とを含むパーシャルトランスポートストリームを前記第１記憶手段に記憶させ、前記外部の記憶装置に当該番組のパーシャルトランスポートストリームを出力するための番組付帯情報を前記制御情報から抽出して生成する第１制御手段と、
前記第１制御手段で生成された番組付帯情報を当該番組を含む前記第１記憶手段に記憶されたパーシャルトランスポートストリームと対応付けて記憶する第２記憶手段と、
前記番組付帯情報に従い、前記第１記憶手段に記憶された当該番組を含むパーシャルトランスポートストリームの制御情報を更新するよう指示する第２制御手段と、
前記外部の記憶装置と接続され、前記第２制御手段の指示を受けた後に前記第１記憶手段からパーシャルトランスポートストリームを読み出し、制御情報を更新して外部の記憶装置に出力するインターフェースとを備えることを特徴とするデジタル放送受信装置。
【請求項２】
番組のコピー又はムーブの指示を受け付ける受付手段を更に備え、
前記第２制御手段は、指示された番組を含むパーシャルトランスポートストリームに対応する番組付帯情報を前記第２記憶手段から取得することを特徴とする請求項１記載のデジタル放送受信装置。
【請求項３】
前記第１制御手段は
前記制御情報に含まれるＰｒｏｇｒａｍ　Ｍａｐ　Ｔａｂｌｅに記載されたコピー制御情報を抽出するコピー制御情報抽出部を有し、
前記第２制御手段は、
前記番組付帯情報に含まれるコピー制御情報が“コピーを１回限り”とするとき、Ｐｒｏｇｒａｍ　Ｍａｐ　Ｔａｂｌｅのコピー制御情報を“コピーを１回限り”とし、かつ、“ムーブ中”に変更するよう指示するコピー制御情報変更指示部を有し、
前記インターフェースは、Ｐｒｏｇｒａｍ　Ｍａｐ　Ｔａｂｌｅの内容を指示に従い更新して出力することを特徴とする請求項２記載のデジタル放送受信装置。
【請求項４】
前記第２制御手段は、
前記インターフェースがプログラムマップテーブルのコピー制御情報を“ムーブ中”としてパーシャルトランスポートストリームの出力したとき、当該出力したパーシャルトランスポートストリームを前記第１記憶手段から消去し、出力が完了したとき、前記第２記憶手段に記憶されている当該番組付帯情報を消去する消去部を更に有することを特徴とする請求項３記載のデジタル放送受信装置。
【請求項５】
前記制御情報には、Ｃｏｎｄｉｔｉｏｎａｌ　ＡｃｃｅｓｓＴａｂｌｅとＥｎｔｉｔｌｅｍｅｎｔ　Ｍａｎａｇｅｍｅｎｔ　Ｍｅｓｓａｇｅとが含まれており、
前記第１制御手段は、
前記Ｃｏｎｄｉｔｉｏｎａｌ　Ａｃｃｅｓｓ　Ｔａｂｌｅに記載されたＥｎｔｉｔｌｅｍｅｎｔ　Ｍａｎａｇｅｍｅｎｔ　Ｍｅｓｓａｇｅのパケット識別子を抽出するパケット識別情報抽出部を有し、
前記第２制御手段は、
前記番組付帯情報に含まれるパケット識別情報のＣｏｎｄｉｔｉｏｎａｌ　Ａｃｃｅｓｓ　ＴａｂｌｅとＥｎｔｉｔｌｅｍｅｎｔ　Ｍａｎａｇｅｍｅｎｔ　Ｍｅｓｓａｇｅとのそれぞれのパケット識別子を通知する識別情報通知部を有し、
前記インターフェースは、ＩＥＥＥ１３９４に規定のプロトコルに従い、出力するパーシャルトランスポートストリームから前記Ｃｏｎｄｉｔｉｏｎａｌ　Ａｃｃｅｓｓ　ＴａｂｌｅとＥｎｔｉｔｌｅｍｅｎｔ　Ｍａｎａｇｅｍｅｎｔ　Ｍｅｓｓａｇｅとを除去して出力することを特徴とする請求項２記載のデジタル放送受信装置。
【請求項６】
前記第１記憶手段に記憶されたパーシャルトランスポートストリームには、時間的に連続した少なくとも２番組が記憶されており、
前記第１制御手段は、
前記制御情報に含まれるＰｒｏｇｒａｍ　Ｍａｐ　Ｔａｂｌｅに記載されたビットレート情報を番組ごとに抽出するビットレート情報抽出部を有し、
前記第２制御手段は、
前記第２記憶手段に記憶された番組付帯情報に含まれるビットレート情報を取得し、先行する番組と後続の番組とのビットレート情報とが異なるとき、後続の番組のビットレート情報に対応する記録モードの設定指示をする記録モード指示部を有し、
前記インターフェースは、記録モードの設定指示を受けると、当該番組を含むパーシャルトランスポートストリームの出力の所定時間前に外部の記憶装置に記録モードの設定を指示することを特徴とする請求項１記載のデジタル放送受信装置。
【請求項７】
前記所定時間は、前記外部の記憶装置が記録モードの設定指示を受けて、記録動作が安定するまでの時間であることを特徴とする請求項６記載のデジタル放送受信装置。
【請求項８】
前記第１記憶手段に記憶されたパーシャルトランスポートストリームは、番組予約により記録されたものであり、予約番組に先行する番組がオフセットとして付加されており、
前記第１制御手段は、
制御情報に含まれるＥｖｅｎｔ　Ｉｎｆｏｒｍａｔｉｏｎ　Ｔａｂｌｅを参照してオフセット部分の時間を抽出するオフセット抽出部と、
制御情報に含まれるＰｒｏｇｒａｍ　Ｍａｐ　Ｔａｂｌｅからオフセットの番組と予約番組とのコピー制御情報を抽出して生成するコピー制御情報生成部とを有し、
前記第２制御手段は、
前記第１記憶手段に記憶されたパーシャルトランスポートストリームに含まれる予約番組の開始時刻から予約番組の初期制御情報のデフォルト値の基に用いることのできる時間である所定時間α経過後の制御情報を抽出して、更新する制御情報更新部と、
前記予約番組とオフセット番組とがともにコピー制御情報が「Ｆｒｅｅ」であるとき、前記外部の記憶装置に録画指示をした後、オフセットの番組の先頭からパーシャルトランスポートストリームの出力を指示する出力開始指示部と、
前記制御情報更新部で更新された制御情報を前記予約番組の開始時刻より前記外部の記憶装置が記録モードの設定指示を受けて、記録動作が安定までの時間である所定時間Ｎ前にパーシャルトランスポートストリームに設定するよう指示する更新情報通知部とを有し、
前記インターフェースは、外部の記憶装置に録画指示を出力した後、オフセット番組の先頭からパーシャルトランスポートストリームを出力し、予約番組の開始時刻より所定時間Ｎ前に更新された制御情報をパーシャルトランスポートストリームに設定して出力することを特徴とする請求項１記載のデジタル放送受信装置。
【請求項９】
前記出力開始指示部は、前記予約番組のコピー制御情報が「Ｆｒｅｅ」であり、前記オフセット番組が「Ｏｎｃｅ」のとき、外部の記憶装置への録画待ちの指示をし、前記更新情報通知部が更新された制御情報をパーシャルトランスポートストリームに設定するよう指示した後に、外部の記録装置への予約番組のパーシャルトランスポートストリームの出力を指示して、録画開始を指示することを特徴とする請求項８記載のデジタル放送受信装置。
【請求項１０】
外部の記憶装置と接続されたデジタル放送受信方法であって、
受信されたトランスポートストリームから番組を構成するエレメンタリストリームと、当該番組の制御情報とを含むパーシャルトランスポートストリームを第１記憶領域に記憶させ、前記外部の記憶装置に当該番組のパーシャルトランスポートストリームを出力するための番組付帯情報を前記制御情報から抽出して生成し、当該番組を含む前記第１記憶領域に記憶させたパーシャルトランスポートストリームと対応付けて第２記憶領域に記憶させる第１制御ステップと、
前記番組付帯情報に従い、前記第１記憶領域に記憶された当該番組を含むパーシャルトランスポートストリームの制御情報を更新するよう指示する第２制御ステップと、
前記第２制御ステップでの指示を受けた後に前記第１記憶領域からパーシャルトランスポートストリームを読み出し、制御情報を更新して外部の記憶装置に出力する出力ステップとを有することを特徴とするデジタル放送受信方法。
【請求項１１】
外部の記憶装置と接続されたデジタル放送受信装置に適用されるデジタル放送受信プログラムであって、
受信されたトランスポートストリームから番組を構成するエレメンタリストリームと、当該番組の制御情報とを含むパーシャルトランスポートストリームを第１記憶領域に記憶させ、前記外部の記憶装置に当該番組のパーシャルトランスポートストリームを出力するための番組付帯情報を前記制御情報から抽出して生成し、当該番組を含む前記第１記憶領域に記憶させたパーシャルトランスポートストリームと対応付けて第２記憶領域に記憶させる第１制御ステップと、
前記番組付帯情報に従い、前記第１記憶領域に記憶された当該番組を含むパーシャルトランスポートストリームの制御情報を更新するよう指示する第２制御ステップと、
前記第２制御ステップでの指示を受けた後に前記第１記憶領域からパーシャルトランスポートストリームを読み出し、制御情報を更新して外部の記憶装置に出力する出力ステップとの各ステップをコンピュータに実行させるデジタル放送受信プログラム。
【発明の詳細な説明】
【０００１】
【発明の属する技術分野】
本発明は、受信したトランスポートストリーム（以下「ＴＳ」と略す。）をパーシャルＴＳとして記憶し、記憶したパーシャルＴＳに含まれる番組を再生し、又、外部の記憶装置を制御してパーシャルＴＳに含まれる番組をコピーさせるデジタル放送受信装置に関する。
【０００２】
ここで、パーシャルＴＳとは、特別に選択された１つあるいはいくつかの番組に関係しないＴＳパケットをＭＰＥＧ（Ｍｏｖｉｎｇ　Ｐｉｃｔｕｒｅ　Ｅｘｐｅｒｔｓ　Ｇｒｏｕｐ）２のＴＳパケットから取り除くことによって得られたビットストリームのことをいう。（例えば、非特許文献１参照）
【０００３】
【従来の技術】
ＴＳを受信し、記憶して再生するデジタル放送受信装置には、例えば特許文献１記載のものがある。
ＴＳには、通常複数の番組が多重化されている。記憶される番組は選択された１つあるいはいくつかの番組であるので、記憶される番組に関係しないＴＳパケットは取り除かれたパーシャルＴＳとして記憶される。
【０００４】
ところで、パーシャルＴＳには、番組の再生に必要な情報としてＰＡＴ（Ｐｒｏｇｒａｍ　Ａｓｓｏｃｉａｔｉｏｎ　Ｔａｂｌｅ）、ＰＭＴ（ＰｒｏｇｒａｍＭａｐ　Ｔａｂｌｅ）の他に、契約情報等を記載した個別情報であるＥＭＭ（Ｅｎｔｉｔｌｅｍｅｎｔ　Ｍａｎａｇｅｍｅｎｔ　Ｍｅｓｓａｇｅ）と、ＥＭＭを伝送するＴＳパケットのパケット識別子を指定しているＣＡＴ（Ｃｏｎｄｉｔｉｏｎａｌ　Ａｃｃｅｓｓ　Ｔａｂｌｅ）も繰り返し多重化されている。また、ＰＭＴには、番組のデジタルコピーについての情報を記述したＤＴＣＰ＿ＣＣＩ（Ｄｉｔｉｇａｌ　Ｔｒａｎｓｍｉｓｓｉｏｎ　Ｃｏｎｔｅｎｔ　Ｐｒｏｔｅｃｔｉｏｎ＿Ｃｏｐｙ　Ｃｏｎｔｒｏｌ　Ｉｎｆｏｒｍａｔｉｏｎ）が含まれている。
【０００５】
更に、ＰＭＴには、番組の記録モードに対応するビットレート情報も記載されている。
【０００６】
【特許文献１】
特開平１１−１６８７１８号公報
【０００７】
【非特許文献１】
ＢＳデジタル放送用受信装置第９章９．１．７、９．１．８、９．１．９節　ＡＲＩＢ　ＳＴＤ−Ｂ２１　１．１版　社団法人　電波産業会
【０００８】
【発明が解決しようとする課題】
この記憶されたパーシャルＴＳに含まれる番組を外部の記憶装置に出力して記憶させる場合、以下のような問題が生じる。
図１４（ａ）は、デジタル放送受信装置に記憶されたパーシャルＴＳを模式的に示した図である。パーシャルＴＳ１０１は、番組のエレメンタリストリーム（ＥＳ）１０２とともにＰＡＴ、ＰＭＴ、ＣＡＴ、ＥＭＭを含んでいる。
【０００９】
第１の問題は、時刻ｔ０で外部の記憶装置にパーシャルＴＳを出力し、記録するようユーザから指示を受けたとき、従来のデジタル放送受信装置は、ＰＭＴを解釈し、コピー可能か否かを判断するとともに、外部の記憶装置へは出力すべきでないＥＭＭを除くために、図１４（ｂ）に示すように、時刻ｔ３までパーシャルＴＳ１１１を出力することができない。
【００１０】
即ち、図１４（ａ）に示すように時刻ｔ１までＰＡＴを抽出できないので、ＰＭＴのＰＩＤを知ることができないので、ＰＭＴを抽出するのが時刻ｔ２となる。時刻ｔ０からｔ２までは約１００ｍｓである。ＰＭＴを抽出して解釈し、番組のＥＳを外部の記憶装置に出力してよいか否かが判断される。しかし、外部の記憶装置に出力すべきでないＣＡＴやＥＭＭは、まだ取り除くことができない。時刻ｔ３でＣＡＴを抽出し、ＥＭＭのＰＩＤを取得し、ＥＭＭを取り除くことが可能となった時刻ｔ３からパーシャルＴＳ１１１を外部の記憶装置に出力することができる。
【００１１】
したがって、ユーザからの指示を受けてから、最大で約１０秒間、先頭部分の番組のＥＳを出力することができない。
第２の問題は、デジタル放送受信装置に記憶されているパーシャルＴＳの出力を受けた外部の記憶装置でのパーシャルＴＳの記録時の問題である。
図１５は、従来のデジタル放送受信装置から外部の記憶装置に番組Ａと番組Ｂとが連続して出力される場合のパーシャルＴＳと記憶装置で記録されたパーシャルＴＳとを模式的に示している。
【００１２】
出力されるパーシャルＴＳ２０１において、番組Ａは通常画質番組であり、番組Ｂはハイビジョン放送番組である。これらが記録される場合は、ＰＭＴに記述されたビットレート情報により、番組Ａの記録モードは、ＳＴＤモードで、番組Ｂの記録モードは、ＨＳモードで記録される。
外部の記憶装置では、パーシャルＴＳ２０１の入力を受け、番組ＡをＳＴＤモードで記録しているが、番組Ｂに切り換わったとき、ＰＭＴを取得し、解釈して記録モードを検出し、自装置に記録モードを設定するまでの間、番組Ｂの先頭部分がコピーできなくなる。外部の記憶装置に記録されたパーシャルＴＳ２０２には、未コピー領域２０３を有することになる。
【００１３】
図１６は、従来の外部の記憶装置に番組Ｃをコピーするために入力されたパーシャルＴＳとその記録状態とを模式的に示した図である。
入力されるパーシャルＴＳ３０１には、番組Ｃの前後にオフセット部分として番組Ｂと番組Ｄとが付加されている。ＰＭＴ等に記載されたコピー制御情報には、番組Ｃは「Ｆｒｅｅ」であるけれども、番組Ｂは、「Ｎｏ−ｍｏｒｅ−ｃｏｐｉｅｓ」と記載されている。このパーシャルＴＳ３０１の入力を受けた外部の記憶装置では、オフセット部分の番組Ｂのコピー制御情報を解釈し、コピー制御情報の「Ｎｏ−ｍｏｒｅ−ｃｏｐｉｅｓ」を一定の期間検出すると、入力されたパーシャルＴＳ３０１の記録を自動停止する。これによって、本来記録しようとする番組Ｃのコピー制御情報が「Ｆｒｅｅ」であっても、記録できないことになる。
【００１４】
上記課題を解決するため、本発明の第１の目的は、記憶されたパーシャルＴＳの先頭部分のＥＳの欠落のないパーシャルＴＳを出力することのできるデジタル放送受信装置を提供することである。
また、本発明の第２の目的は、外部の記憶装置に出力したパーシャルＴＳを記録モードの変更やコピー制御情報によって、外部の記憶装置で記録できなくなったり、パーシャルＴＳの一部が記録できなくなることを防止するデジタル放送受信装置を提供することである。
【００１５】
【課題を解決するための手段】
上記課題に鑑み、本発明は、外部の記憶装置と接続されたデジタル放送受信装置であって、第１記憶手段と、受信されたトランスポートストリームから番組を構成するエレメンタリストリームと、当該番組の制御情報とを含むパーシャルトランスポートストリームを前記第１記憶手段に記憶させ、前記外部の記憶装置に当該番組のパーシャルトランスポートストリームを出力するための番組付帯情報を前記制御情報から抽出して生成する第１制御手段と、前記第１制御手段で生成された番組付帯情報を当該番組を含む前記第１記憶手段に記憶されたパーシャルトランスポートストリームと対応付けて記憶する第２記憶手段と、前記番組付帯情報に従い、前記第１記憶手段に記憶された当該番組を含むパーシャルトランスポートストリームの制御情報を更新するよう指示する第２制御手段と、前記外部の記憶装置と接続され、前記第２制御手段の指示を受けた後に前記第１記憶手段からパーシャルトランスポートストリームを読み出し、制御情報を更新して外部の記憶装置に出力するインターフェースとを備えることとしている。
【００１６】
【発明の実施の形態】
本発明に係るデジタル放送受信装置の実施の形態について、図面を用いて説明する。
（実施の形態１）
図１は、本発明に係るデジタル放送受信装置の実施の形態１の構成図である。
【００１７】
デジタル放送受信装置は、内蔵するＨＤＤ（Ｈａｒｄ　Ｄｉｓｋ　Ｄｒｉｖｅ）４０１と、チューナ４０２と、復調部４０３と、デ・スクランブラ４０４と、ＴＳデコーダ４０５と、画像デコーダ４０６と、モニタ４０７と、音声デコーダ４０８と、スピーカ４０９と、ＣＰＵ４１０と、フラッシュＲＯＭ４１１と、メモリ４１２と、デジタルＩ／Ｆ４１３とを備えている。デジタルＩ／Ｆ４１３は、外部の記憶装置であるＶＣＲ（Ｖｉｄｅｏｃａｓｓｅｔｔｅ　Ｒｅｃｏｒｄｅｒ）４２０とＩＥＥＥ１３９４規約に従い接続されている。
【００１８】
ＨＤＤ４０１は、放送局から送信されているＴＳに多重化された番組のうち、ユーザに録画指示された番組を含むパーシャルＴＳを記憶している。
図２は、ＨＤＤ４０１の記録媒体ＨＤ５０１に記憶されたパーシャルＴＳを模式的に示した図である。パーシャルＴＳ−Ｉがファイル１として、パーシャルＴＳ−ＩＩがファイル３として、パーシャルＴＳ−ＩＩＩがファイル６としてそれぞれ記
憶されている。
【００１９】
図３は、例えば、パーシャルＴＳ−Ｉを模式的に示した構成図である。パーシャルＴＳ−ＩＩ６０１には、チャネルＡの番組が含まれている。ＰＡＴパケット、ＰＭＴパケットと番組の映像、音声、データの各ＥＳパケットとＣＡＴパケット、ＥＭＭパケットとを含んでいる。この他にも、ＳＩＴ（Ｓｅｒｖｉｃｅ　Ｉｎｆｏｒｍａｔｉｏｎ　Ｔａｂｌｅ）パケット等も含まれているが省略している。
【００２０】
チューナ４０２は、ＣＰＵ４１０の制御により、アンテナ（図示せず）で指定された周波数のトランスポンダを受信し、得られた変調波を復調部４０３に出力する。復調部４０３は、変調波を復調し、得られた多重化されたＴＳパケットをデ・スクランブラ４０４に出力する。デ・スクランブラは、ＴＳのスクランブルを解除し、ＴＳデコーダ４０５に出力する。なお、放送局から送信されるＴＳにスクランブルが行なわれていないときには、復調部４０３からＴＳデコーダ４０５に直接復調されたＴＳが出力される。
【００２１】
ＴＳデコーダ４０５は、ＣＰＵ４１０の制御に従い、入力されたＴＳをデコードする。番組を視聴するだけの場合には、ＴＳデコーダ４０５は、ＴＳに多重化されたＰＳＩ（Ｐｒｏｇｒａｍ　Ｓｐｅｃｉｆｉｃ　Ｉｎｆｏｒｍａｔｉｏｎ）で定義されるＰＡＴ、ＰＭＴ等のテーブル類をメモリ４１２に記憶させ、音声データのＥＳパケットを音声デコーダ４０８に出力し、映像データのＥＳパケットを画像デコーダ４０６に出力する。音声デコーダ４０８は、音声のＥＳを音声信号に復号し、スピーカ４０９から音声を出力する。画像デコーダ４０６は、画像のＥＳを画像信号に復号し、モニタ４０７から出力する。
【００２２】
番組をＨＤＤ４０１に録画する場合、ＴＳデコーダ４０５は、ＣＰＵ４１０の制御により、ＴＳに多重されている番組の映像データ、音声データ等のＥＳと、ＰＡＴ、ＰＭＴ、ＣＡＴ、ＥＭＭ等を抽出し、ＨＤＤ４０１にパーシャルＴＳとして記憶させる。この際、ＰＭＴに追加されるＤＴＣＰ記述子の内容は、ＰＭＴ中のデジタルコピー制御記述子、コンテント利用記述子の内容から作成され、出力される。
【００２３】
図４（ａ）は、ＴＳデコーダ４０５に入力されたＴＳに含まれるＰＭＴの内容の一例を示す図である。ＰＭＴ７０１には、左欄７０２の項目に対応する内容が記載されており、右欄７０３はその説明である。
ここで、ｔａｂｌｅ＿ｉｄは、ＰＭＴを抽出するためのテーブル識別子でＰＡＴ中に指定されている。識別子「０×Ｃ１」で識別されるデジタルコピー制御記述子と識別子「０×ＤＥ」で識別されるコンテント利用記述子とは、コピー制御情報を示しており、これらの内容からＤＴＣＰ記述子の内容が作成される。
【００２４】
図４（ｂ）は、ＨＤＤ４０１に記憶されたパーシャルＴＳのＰＭＴの内容の一例を示す図である。ＰＭＴ７１１には、識別子「０×８８」で識別されるＤＴＣＰ記述子の内容が追加されている。
ここで、ｄｅｓｃｒｉｐｔｏｒ＿ｔａｇの識別子「０×８８」で識別されるＤＴＣＰ記述子に記述されたＲｅｔｅｎｔｉｏｎ＿ｍｏｖｅ＿ｍｏｄｅは、ムーブ状態を示す値で、「０」のときはムーブ中を、「１」のときは非ムーブを示している。ＤＴＣＰ＿ＣＣＩは、コピーの可否を示す値で、「００」のときは「Ｆｒｅｅ」を、「１０」のときは「Ｃｏｐｙ−ｏｎｃｅ」即ち、１回だけコピー可を、「０１」のときは「Ｎｏ−ｍｏｒｅ−ｃｏｐｉｅｓ」即ち、これ以上コピー不可を示している。
【００２５】
ＴＳデコーダ４０５は、ＣＰＵ４１０の制御により、ＰＭＴのデジタルコピー制御記述子の内容が１世代のみコピー可の場合、出力するＤＴＣＰ記述子のＤＴＣＰ＿ＣＣＩを「０１」すなわち「Ｎｏ−ｍｏｒｅ−ｃｏｐｉｅｓ」にして出力する。
ＣＰＵ４１０は、出力するパーシャルＴＳのＰＭＴ中のＤＴＣＰ記述子に記述されたＲｅｔｅｎｔｉｏｎ＿ｍｏｖｅ＿ｍｏｄｅ及びＤＴＣＰ＿ＣＣＩの値を番組または、番組を構成するＥＳ単位で取得し、ＴＳデコーダ４０５から、ＥＭＭのパケットを識別するＥＭＭ＿ＰＩＤの値をＣＡＴパケットから取得し、フラッシュＲＯＭ４１１に番組付帯情報としてＨＤＤ４０１に記憶された番組を含むパーシャルＴＳと対応付けて記憶させる。
【００２６】
図５は、フラッシュＲＯＭ４１１に記憶された番組付帯情報の一例を示す図である。番組付帯情報８０１は、ＰＭＴから取得されるコピー制御情報８０２と、ＣＡＴとＥＭＭとのＰＩＤ情報８０３とからなる。両情報８０２、８０３には、ＨＤＤ４０１に記憶された番組のパーシャルＴＳを区別するための情報８０４、８０５がそれぞれ記載される。この番組のパーシャルＴＳを区別するための情報８０４、８０５には、例えば図１５に示したように番組がパーシャルＴＳ−Ｉに含まれるときには、ファイル名である「ファイル１」がそれぞれ記載される。
【００２７】
ＴＳデコーダ４０５は、ＨＤＤ４０１に記憶された番組の再生を指示されると、当該番組を含むパーシャルＴＳをＨＤＤ４０１から読み出し、ＰＡＴ、ＰＭＴ、ＥＭＭ、ＳＩＴ等を抽出してメモリ４１２に記憶させ、音声のＥＳは音声デコーダ４０８に、映像のＥＳは画像デコーダ４０６にそれぞれ出力する。
ＣＰＵ４１０は、フラッシュＲＯＭに記憶された制御プログラムに従い、各部を制御する。
【００２８】
図示しない受付部からＨＤＤ４０１に放送局から送信される番組の録画指示を受けると、チューナ４０２に選局指示を行ない、ＴＳデコーダ４０５にＨＤＤ４０１へのパーシャルＴＳの記録の指示と、フラッシュＲＯＭ４１１への番組付帯情報の記録の指示とをする。
ＣＰＵ４１０は、同様の受付部からＨＤＤ４０１に記憶されたパーシャルＴＳに含まれる番組のコピー指示を受け付けると、フラッシュＲＯＭ４１１に記憶されている当該番組が含まれるパーシャルＴＳの番組付帯情報８０１を取得する。
【００２９】
ＣＰＵ４１０は、コピー制御情報８０２のＤＴＣＰ＿ＣＣＩの値が「１０」の「Ｃｏｐｙ＿ｏｎｃｅ」を示しているとき、ＨＤＤ４０１に記録されているパーシャルＴＳのコピー指示を受けても、コピーが禁止されているので、外部のＶＣＲ４０１で記録されない。例えば、モニタ４０７に「コピーができない旨」の表示をするような画像デコーダ４０６に指示する。
【００３０】
ＣＰＵ４１０は、コピー制御情報８０２のＤＴＣＰ＿ＣＣＩの値が「１０」の「Ｃｏｐｙ＿ｏｎｃｅ」を示しているとき、ＨＤＤ４０１に記録されているパーシャルＴＳのムーブ指示を受けると、デジタルＩ／Ｆ４１３にＰＭＴのＲｅｔｅｎｔｉｏｎ＿ｍｏｖｅ＿ｍｏｄｅの値を「１」から「０」即ち、「非ムーブ」から「ムーブ中」に書き換え、ＤＴＣＰ＿ＣＣＩの値を「０１」から「１０」即ち、「Ｎｏ−ｍｏｒｅ−ｃｏｐｉｅｓ」から「Ｃｏｐｙ＿ｏｎｃｅ」に書き換えるよう指示する。
【００３１】
なお、ＤＴＣＰ＿ＣＣＩの値が「００」、即ち「Ｆｒｅｅ」のときには、コピーを何回でもすることが可能であるので、ＰＭＴのコピー制御情報について変更する必要はない。
また、ＣＰＵ４１０は、ＰＩＤ情報８０３に記載されたＣＡＴとＥＭＭとのそれぞれのＰＩＤをデジタルＩ／Ｆ４１３に通知し、ＣＡＴとＥＭＭとを出力しないよう指示し、指定された番組を含むパーシャルＴＳの読み出しを指示する。
【００３２】
フラッシュＲＯＭ４１１は、ＣＰＵ４１０が制御部としての動作をするための制御プログラムを記憶している。また、ＴＳデコーダ４０５によって、ＨＤＤ４０１に録画された各番組のパーシャルＴＳに対応付けられた図５に示すような番組付帯情報８０１を記憶している。
メモリ４１２は、放送局から送信されたＴＳに多重化されたＰＡＴ，ＰＭＴ等の制御情報を記憶している。
【００３３】
デジタルＩ／Ｆ４１３は、外部の記憶装置であるＶＣＲ４２０と接続されており、ＩＥＥＥ１３９４に規定のプロトコルに従い、ＶＣＲ４２０にパーシャルＴＳを出力する。
ＣＰＵ４１０から、パーシャルＴＳに含まれるＰＭＴのコピー制御情報であるＤＴＣＰ＿ＣＣＩとＲｅｔｅｎｔｉｏｎ＿ｍｏｖｅ＿ｍｏｄｅとの値の書き換え指示と、ＣＡＴとＥＭＭとの削除指示とを受け、指定されたパーシャルＴＳの読み出し指示を受けると、指定されたパーシャルＴＳをＨＤＤ４０１から読み出し、ＰＭＴの内容を更新しながら、ＣＡＴ、ＥＭＭを削除したパーシャルＴＳをＶＣＲ４２０に出力する。
【００３４】
このように、予め、デジタルＩ／Ｆ４１３は、ＰＭＴの変更すべき内容や削除すべきＣＡＴやＥＭＭのＰＩＤとの通知を受けているので、指定されたパーシャルＴＳの先頭部分の番組を構成するＥＳを、頭切れすることなく、外部のＶＣＲ４２０に出力することができる。
図１４（ａ）に示したパーシャルＴＳ１０１を出力する場合、時刻ｔ０で始まるＥＳ１０２から出力することができ、後続のＥＭＭ１０３、ＣＡＴ１０４等を削除しながらＰＭＴ１０５等を更新したパーシャルＴＳを出力することができる。
【００３５】
なお、ムーブ指示、即ちＲｅｔｅｎｔｉｏｎ＿ｍｏｖｅ＿ｍｏｄｅの値を「０」にしてパーシャルＴＳを出力するときには、ＣＰＵ４１０は、ＨＤＤ４０１に記憶されているパーシャルＴＳを削除しながら出力を行う。指定されたパーシャルＴＳの出力を全て出力し終えると、ＣＰＵ４１０は、そのパーシャルＴＳの番組付帯情報を削除する。
【００３６】
次に、本実施の形態の動作を図６、図７のフローチャートを用いて説明する。先ず、内蔵するＨＤＤ４０１に放送局から送信されるＴＳからユーザが指定する番組のパーシャルＴＳの記録時の番組付帯情報の記録動作を図６のフローチャートを用いて説明する。
ＣＰＵ４１０は、ＨＤＤ４０１への番組の録画指示を待ち、（Ｓ９０２）、ＴＳデコーダ４０５に番組を構成するＥＳやＰＡＴ等の抽出を指示する。
【００３７】
ＴＳデコーダ４０５は、ＰＡＴを抽出すると（Ｓ９０４）、ＰＡＴに記載されたＰＭＴのＰＩＤをフィルタ条件としてＰＭＴの抽出を待つ（Ｓ９０６）。抽出されたＰＭＴに記載されたコピー制御情報であるデジタルコピー制御記述子、コンテント利用記述子を取得し、その情報を元にＤＴＣＰ記述子を作成し（Ｓ９０８）、ＥＭＭのＰＩＤを取得しているか否かを判定し（Ｓ９１０）、取得していればＳ９１８に移り、取得していなければＳ９１２に移る。
【００３８】
Ｓ９１２において、ＴＳデコーダ４０５は、ＣＡＴの抽出を待ち、ＣＡＴに記載されたＥＭＭのＰＩＤを取得する（Ｓ９１４）。コピー制御情報を取得しているか否かを判断し、取得していなければＳ９０４に戻り、取得していれば、Ｓ９１８に移る。
Ｓ９１８において、ＴＳデコーダ４０５は、取得したコピー制御情報とＥＭＭ等のＰＩＤ情報とからなる番組付帯情報８０１をＨＤＤ４０１に録画しているパーシャルＴＳのファイル名に対応付けてフラッシュＲＯＭ４１１に記録し、録画終了か否かを判定し（Ｓ９２０）、録画が終了すれば処理を終了し、継続していれば、Ｓ９０２に戻る。
【００３９】
次に、外部の記憶装置であるＶＣＲ４２０に指定された番組を含むパーシャルＴＳを出力する動作を図７のフローチャートを用いて説明する。
ＣＰＵ４１０は、ユーザからＶＣＲ４２０にＨＤＤ４０１に記憶されている番組のコピーもしくはムーブの指示を待ち（Ｓ１００２）、指示された番組に対応付けられた番組付帯情報８０１をフラッシュＲＯＭ４１１から取得する。
【００４０】
ＣＰＵ４１０は、番組付帯情報８０１のうち、コピー制御情報８０２のＤＴＣＰ＿ＣＣＩの値を見て、コピー制御情報の変更を要するか否かを判定する。即ち、「００」であれば、変更を要しないし、「１０」であり、ムーブ指示の場合は、ＨＤＤ４０１に記憶されたパーシャルＴＳのＰＭＴ中のＤＴＣＰ＿ＣＣＩの値を「０１」から「１０」に変更し、かつ、Ｒｅｔｅｎｔｉｏｎ＿ｍｏｖｅ＿ｍｏｄｅの値を「１」から「０」に変更する必要がある。なお、「１０」であり、コピー指示の場合は、コピーできない旨をユーザに提示し終了する（Ｓ１００６）。
【００４１】
ＣＰＵ４１０は、変更を要しないときＳ１０１０に移り、変更を要するとき、デジタルＩ／Ｆ４１３にＰＭＴのコピー制御情報の更新内容を通知する（Ｓ１００８）。
ＣＰＵ４１０は、パーシャルＴＳから削除するＣＡＴとＥＭＭとのＰＩＤをデジタルＩ／Ｆ４１３に通知し（Ｓ１０１０）、指示されたパーシャルＴＳの読み出し指示をする（Ｓ１０１２）。
【００４２】
デジタルＩ／Ｆ４１３は、指示されたパーシャルＴＳをＨＤＤ４０１から読み出し、パーシャルＴＳ中のＰＭＴを更新されたＰＭＴに置換し、ＣＡＴ、ＥＭＭを削除したパーシャルＴＳをＶＣＲ４２０に出力し（Ｓ１０１４）、ＨＤＤ４０１からパーシャルＴＳの読み出しを終了するまでＳ１０１４の処理を続ける（Ｓ１０１６）。
【００４３】
なお、本実施の形態では、番組付帯情報８０１をフラッシュＲＯＭ４１１に記憶させることとしたけれども、ＨＤＤ４０１にパーシャルＴＳとは別のファイルとして記憶させてもよい。例えば、図１６に示したファイル４に番組付帯情報を記憶させてもよい。
また、本実施の形態では、コピー制御情報は、ＰＭＴのＤＴＣＰ記述子の情報の変更のみについて説明したけれども、外部のＶＣＲ４２０にパーシャルＴＳを出力する際に、パーシャルＴＳ中のコピー制御情報とは別のＩＥＥＥ１３９４に従うコピー制御情報ＥＭＩが出力される。このＥＭＩ情報は、パーシャルＴＳのＰＭＴ中のＤＴＣＰ記述子のＤＴＣＰ＿ＣＣＩが更新されると同様に更新され、例えば図１５に示すファイル２に記憶される。ＥＭＩ情報はＩＥＥＥ１３９４の規格に準拠する情報である。
【００４４】
したがって、ＥＭＩ情報にコピー制御情報が「Ｎｏ−ｍｏｒｅ−ｃｏｐｉｅｓ」とされているときには、Ｒｅｔｅｎｔｉｏｎ＿ｍｏｖｅ＿ｍｏｄｅの値を「０」に変更し、このＥＭＩ情報を「Ｃｏｐｙ−ｏｎｃｅ」に変更する必要がある。また、本実施の形態では、番組の録画時に、番組付帯情報を取得して記憶するようにしたけれども、外部のＶＣＲ４２０にパーシャルＴＳの出力が指示されたとき、デジタルＩ／Ｆ４１３への読み出し指示に先行して、番組付帯情報を取得するようにしてもよい。ただし、ＶＣＲ４２０へのパーシャルＴＳの出力は、その番組付帯情報の取得に要する時間だけ遅延する。
（実施の形態２）
次に本発明に係るデジタル放送受信装置の実施の形態２について説明する。このデジタル放送受信装置の構成は、上記実施の形態１の構成とほぼ同様であるので図１の構成図を用いて説明する。
【００４５】
本実施の形態では、外部の記憶装置であるＶＣＲ４２０に出力されたパーシャルＴＳに含まれる番組の切り換わり時にコピーができなくなったり、一部に未コピー領域の生ずることを防止するため、ＶＣＲ４２０に制御情報を所定のタイミングで出力することとしている。
このため、上記実施の形態１の構成に加えて以下のような構成を有している。
【００４６】
図８は、フラッシュＲＯＭ４１１に記憶されている番組付帯情報の一例を示す図である。
この番組付帯情報１１０１は、ＨＤＤ４０１にファイルＡ１１０２として記憶されたパーシャルＴＳに対応付けられた情報である。
ファイルＡは、予約録画された番組Ｃと番組Ｃ以前に送信されてきたオフセットの番組Ｂと番組Ｃに後続するオフセットの番組Ｄとを含んでいる。ここでは、番組Ｄについては省略されている。
【００４７】
番組付帯情報１１０１には、この予約録画された番組（本編）１１０３と番組Ｂ（オフセット）１１０４とについてコピー情報識別１１０５等の項目について記載されている。
コピー情報識別１１０５には、本編に「１」、オフセットに「０」を番組を区分する情報として記載している。
【００４８】
オフセット値１１０６は、予め設定されている値であり、本編を完全に録画するために本編の前後に追加される録画時間であり、ＥＩＴ（Ｅｖｅｎｔ　Ｉｎｆｏｒｍａｔｉｏｎ　Ｔａｂｌｅ）を参照して求められる。
ＥＭＩ１１０７は、コピー可否を示すコピー制御情報であり、本編は「Ｆｒｅｅ」であり、オフセットは「Ｃｏｐｙ−ｏｎｃｅ」である。
【００４９】
ビットレット情報１１０８は、標準「ＳＴＤ」と高画質「ＨＳ」との録画モードを定めるものであり、本編は高画質に対応する２４Ｍｂｐｓ（ｂｉｔ　ｐｅｒｓｅｃｏｎｄ）相当であり、オフセットは標準に対応する１２Ｍｂｐｓ相当である。
デジタルＩ／Ｆ出力可否情報１１０９は、ＩＥＥＥ１３９４規格に従い出力できるか否かを示す情報であり、本編、オフセットともに可能である。
【００５０】
なお、ＥＭＩ１１０７、ビットレート情報１１０８、デジタルＩ／Ｆ出力可否情報１１０９は、ＰＭＴに記載の情報から生成される。
ＣＰＵ４１０は、ＨＤＤ４０１に記憶されたパーシャルＴＳのファイルごとに番組付帯情報１１０１を作成する。
ＣＰＵ４１０は、記録された番組が番組予約によってオフセット付きで記録されたときには、本編とオフセットとを区別するため「１」又は「０」を記載する。
【００５１】
また、オフセット値１１０６は、ＥＩＴを参照して録画時刻からオフセット値を求めて記録する。
ＣＰＵ４１０は、ＴＳデコーダ４０５で抽出されたＰＭＴのコピー制御情報からＥＭＩ１１０７の本編とオフセットとのコピー可否を記録する。なお、この情報は、番組内においても経時的に変化する場合があるので、制限が厳しい値を記載する。
【００５２】
同様にビットレート情報もＰＭＴから取得し、記録するが、ビットレートの最も高い値を記録するようにする。
デジタルＩ／Ｆ出力可否情報１１０９もＰＭＴから取得して記録する。
図９は、番組付帯情報１１０１に対応するファイルＡのパーシャルＴＳを模式的に示したものである。オフセットの番組Ｂの先頭の時刻はＴ０であり、番組Ｃの先頭の時刻Ｔ２より「１分」前である。
【００５３】
番組Ｃの先頭の時刻Ｔ２より所定の時間Ｎだけ前の時刻Ｔ１と、番組Ｃの先頭から所定の時間αだけ後の時刻Ｔ３とが経験的に設定されている。
ここで、時間Ｎは、ＶＣＲ４２０の記録状態変更の指示を行なった後、記録動作が安定するまでの時間である。また、時間αは、番組ＣのＰＭＴ等の制御情報をデフォルト値として番組Ｃの先頭部分に用いるのに適当な時間である。時間Ｎ、時間αは、それぞれ２秒として予め設定している。
【００５４】
ＣＰＵ４１０の動作を図１０のフローチャートを用いて説明する。
ＣＰＵ４１０は、受付部（図示せず）からユーザの番組を指定した外部のＶＣＲ４２０へのコピー又はムーブの指示を待ち（Ｓ１３０２）、当該番組に対応するＨＤＤ４０１に記憶されたパーシャルＴＳを含むファイルの番組付帯情報１１０１をフラッシュＲＯＭ４１１から取得する（Ｓ１３０４）。
【００５５】
ＥＭＩ１１０７に記載された本編のコピー制御情報がＦｒｅｅで、かつ、コピー指示か否かを判定する（Ｓ１３０６）。「Ｆｒｅｅ」であれば、オフセットのコピー制御情報が「Ｆｒｅｅ」か否かを判定する（Ｓ１３０８）。オフセットが「Ｆｒｅｅ」であれば、オフセットの先頭からパーシャルＴＳの出力処理をして（Ｓ１３１０）、処理を終了する。オフセットが「Ｆｒｅｅ」でなければ、本編のみのパーシャルＴＳの出力処理をする（Ｓ１３１２）。
【００５６】
また、Ｓ１３０６において、本編が「Ｆｒｅｅ」でなければ、即ち、「Ｃｏｐｙ−ｏｎｃｅ」である場合に、「ムーブ指示」であるときは、ムーブ処理をする（Ｓ１３１４）。
以下、オフセットの先頭からのパーシャルＴＳの出力処理について図１１、図１２のフローチャートを用いて、本実施の形態の動作を説明する。
【００５７】
先ず、ＣＰＵ４１０は、本編である番組Ｃの先頭から時間αが経過した時刻Ｔ３直後のＰＭＴとＥＭＩとをＨＤＤ４０１から読み出し取得する（Ｓ１４０２）。番組付帯情報１１０１から本編とオフセットとのビットレート情報を取得し（Ｓ１４０４）、両ビットレートが同一か否かを判定する（Ｓ１４０６）。同一でなければ、本編のビットレートに対応する記録モード変更情報を作成する。オフセットが１２Ｍｂｐｓで本編が２４Ｍｂｐｓのときには、ＨＳの記録モード変更情報を作成する（Ｓ１４０８）。
【００５８】
次に、ＣＰＵ４１０は、オフセットのビットレート情報に対応した記録モード、例えばＳＴＤの記録モードをＶＣＲ４２０に設定するようデジタルＩ／Ｆ４１３を介して指示する（Ｓ１４１０）。次に、ＶＣＲ４２０に録画開始の指示をデジタルＩ／Ｆを介して指示し（Ｓ１４１２）、ＶＣＲ４２０の記録動作が安定するのを待つ（Ｓ１４１４）。通常、この安定化のために約２〜５秒を要する。
【００５９】
ＣＰＵ４１０は、上記実施の形態１と同様、ＨＤＤ４０１に記憶されているパーシャルＴＳに含まれるＰＭＴを変更すべき場合や、ＥＭＩを変更する場合に更新したＰＭＴ、ＥＭＩを生成してデジタルＩ／Ｆ４１３に通知する（Ｓ１４１６）。併せて、デジタルＩ／Ｆ４１３にパーシャルＴＳのＶＣＲ４２０への出力開始を指示する（Ｓ１４１８）。
【００６０】
デジタルＩ／Ｆ４１３は、ＣＰＵ４１０からの指示に従い、オフセットの番組Ｂの時刻Ｔ０からパーシャルＴＳを読み出し（Ｓ１５０２）、ＣＰＵ４１０から通知された更新されたＰＭＴ、ＥＭＩに置換してパーシャルＴＳをＶＣＲ４２０に出力する（Ｓ１５０４）。なお、読み出したパーシャルＴＳのＰＭＴ等の制御情報はメモリ４１２に記憶される。ＣＰＵ４１０は、このＰＭＴ等に変更を要するときは随時デジタルＩ／Ｆ４１３に通知する。デジタルＩ／Ｆ４１３は通知された更新されたＰＭＴ等で置換したパーシャルＴＳを出力する。
【００６１】
ＣＰＵ４１０は、時刻Ｔ１になるのを待って（Ｓ１５０６）、Ｓ１４０８において、記録モード変更情報を作成していたときには（Ｓ１５０８）、作成した記録モード変更情報をＶＣＲ４２０にデジタルＩ／Ｆ４１３を介して出力する（Ｓ１５１０）。
これによって、時刻Ｔ１から時間Ｎ経過後には、例えば、記録モードはＶＣＲ４２０において、ＳＴＤ（標準レート）からＨＳ（高画質レート）に安定して変更される。
【００６２】
記録モード変更情報を作成していないときは、Ｓ１５１２に移る。
Ｓ１５１２において、ＣＰＵ４１０は、Ｓ１４０２において取得したＰＭＴ、ＥＭＩに必要な、変更をして、出力するパーシャルＴＳに設定するようデジタルＩ／Ｆ４１３に指示する。デジタルＩ／Ｆ４１３は、ＣＰＵ４１０の指示に従いパーシャルＴＳをＶＣＲ４２０に出力する。即ち、時刻Ｔ１以降は、番組Ｃの先頭から時間α経過後の時刻Ｔ３のＰＭＴ、ＥＭＩが設定されたパーシャルＴＳをＶＣＲ４２０に出力することになる。
【００６３】
ＣＰＵ４１０は、時刻Ｔ３になるのを待ち、（Ｓ１５１４）、ＨＤＤ４０１から読み出されてメモリ４１２に記憶されているＰＭＴ、ＥＭＩを必要に応じて更新し、デジタルＩ／Ｆ４１３に通知する。デジタルＩ／Ｆ４１３は、ＣＰＵ４１０から通知されたＰＭＴ等を読み出したパーシャルＴＳ中のＰＭＴ等と置換してＶＣＲ４２０に出力する（Ｓ１５１６）。
【００６４】
デジタルＩ／Ｆ４１３は、パーシャルＴＳの全パケットの出力を完了するまでこの処理を続けて（Ｓ１５１８）、処理を終了する。
次に、本編のパーシャルＴＳだけをＶＣＲ４２０に出力処理する動作を図１３のフローチャートを用いて説明する。
この処理は、本編の番組がコピー可能であるにも拘らず、オフセットの番組のコピーがこれ以上できないとされている場合に、本編の番組までコピーできない事態を回避するものである。
【００６５】
ＣＰＵ４１０は、フラッシュＲＯＭ４１１に記憶されている番組付帯情報１１０１から本編のビットレート情報を取得し（Ｓ１６０２）、対応した記録モード、例えばビットレート情報が２４ＭｂｐｓのときはＨＳ高画質の記録モードをＶＣＲ４２０に設定するよう、デジタルＩ／Ｆ４１３を介して指示する（Ｓ１６０４）。
【００６６】
続けて、ＣＰＵ４１０は、ＶＣＲ４２０に録画待ち状態とするよう、デジタルＩ／Ｆ４１３を介して指示する（Ｓ１６０６）。
次に、ＣＰＵ４１０は、ＨＤＤ４０１に記憶されている本編の番組の時刻Ｔ３直後のＰＭＴ、ＥＭＩを読み出して取得する（Ｓ１６０８）。
デジタルＩ／Ｆ４１３は、ＣＰＵ４１０の指示により、ＨＤＤ４０１から時刻Ｔ０からパーシャルＴＳを読み出す（Ｓ１６１０）。
【００６７】
ＣＰＵ４１０は、時刻Ｔ１を待ち（Ｓ１６１２）、取得している時刻Ｔ３直後でのＰＭＴ、ＥＭＩを必要な変更を加えて、パーシャルＴＳに設定するようデジタルＩ／Ｆ４１３に指示する（Ｓ１６１４）。
デジタルＩ／Ｆ４１３は、ＣＰＵ４１０の指示に従い、パーシャルＴＳをＶＣＲ４２０に出力する（Ｓ１６１６）とともにＶＣＲ４２０に録画開始を指示する（Ｓ１６１８）。
【００６８】
ＣＰＵ４１０は、時刻Ｔ３になるのを待って（Ｓ１６２０）、ＨＤＤ４０１のパーシャルＴＳから抽出され、メモリ４１２に記憶されたＰＭＴ、ＥＭＩを更新すると、デジタルＩ／Ｆ４１３に通知する。デジタルＩ／Ｆ４１３は、通知されたＰＭＴ、ＥＭＩを置換してパーシャルＴＳをＶＣＲ４２０に出力する（Ｓ１６２２）。
【００６９】
デジタルＩ／Ｆ４１３は、パーシャルＴＳをＶＣＲ４２０の全パケットの出力完了までこの処理を続け（Ｓ１６２４）、処理を終了する。
このように、ＶＣＲ４２０の録画開始直前から、本編の番組の安定した時刻Ｔ３のＰＭＴ、ＥＭＩを出力するようにして、オフセットから、本編への切り換わり時におけるＰＡＴやＰＭＴの更新に伴なう本編の先頭部分の欠落が生じたり、オフセットのＥＭＩ情報が「Ｆｒｅｅ」でないため本編が録画されないことを防止することが可能となる。
【００７０】
なお、この図１３に示すフローチャートは、図８に示した番組付帯情報１１０１に示されたコピー制御情報１１０７の記載に従う処理である。
また、Ｓ１３１４のＭｏｖｅ処理は、基本的には、図１１、１２に示した先頭からのパーシャルＴＳの出力処理と同等の処理を行うが、ＶＣＲ４２０でコピーする場合と異なり、ＶＣＲ４２０へは移動処理であるので、デジタルＩ／Ｆ４１３がパーシャルＴＳをＨＤＤ４０１から読み出した後、ＨＤＤ４０１からその読み出した部分のパーシャルＴＳを削除する。
【００７１】
なお、上記各実施の形態では、パーシャルＴＳをＨＤＤ４０１に録画するとして説明したけれども、ＤＶＤ−ＲＡＭ、ＳＤカード、あるいは半導体メモリ等ランダムアクセス可能な大容量の記録媒体であってもよいのは勿論である。
また、パーシャルＴＳは、ファイル単位で記録するよう説明したけれども、記録媒体上の記録位置を管理するような情報を保持し、この情報を利用してアクセス可能であればよく、ファイルに限定されるものではない。
【００７２】
【発明の効果】
以上説明したように、本発明は、外部の記憶装置と接続されたデジタル放送受信装置であって、第１記憶手段と、受信されたトランスポートストリームから番組を構成するエレメンタリストリームと、当該番組の制御情報とを含むパーシャルトランスポートストリームを前記第１記憶手段に記憶させ、前記外部の記憶装置に当該番組のパーシャルトランスポートストリームを出力するための番組付帯情報を前記制御情報から抽出して生成する第１制御手段と、前記第１制御手段で生成された番組付帯情報を当該番組を含む前記第１記憶手段に記憶されたパーシャルトランスポートストリームと対応付けて記憶する第２記憶手段と、前記番組付帯情報に従い、前記第１記憶手段に記憶された当該番組を含むパーシャルトランスポートストリームの制御情報を更新するよう指示する第２制御手段と、前記外部の記憶装置と接続され、前記第２制御手段の指示を受けた後に前記第１記憶手段からパーシャルトランスポートストリームを読み出し、制御情報を更新して外部の記憶装置に出力するインターフェースとを備えることとしている。このような構成によって、インターフェースは、更新すべき制御情報を予め知ることができるので、第１記憶手段から読み出したパーシャルトランスポートストリームの先頭から制御情報を更新しながら外部記憶装置に出力することができる。
【００７３】
また、番組のコピー又はムーブの指示を受け付ける受付手段を更に備え、前記第２制御手段は、指示された番組を含むパーシャルトランスポートストリームに対応する番組付帯情報を前記第２記憶手段から取得することとしている。このような構成によって、指示された番組を含むパーシャルトランスポートストリームを外部の記憶装置に出力することができる。
【００７４】
また、前記第１制御手段は前記制御情報に含まれるＰｒｏｇｒａｍ　Ｍａｐ　Ｔａｂｌｅに記載されたコピー制御情報を抽出するコピー制御情報抽出部を有し、前記第２制御手段は、前記番組付帯情報に含まれるコピー制御情報が“コピーを１回限り”とするとき、Ｐｒｏｇｒａｍ　Ｍａｐ　Ｔａｂｌｅのコピー制御情報を“コピーを１回限り”とし、かつ、“ムーブ中”に変更するよう指示するコピー制御情報変更指示部を有し、前記インターフェースは、Ｐｒｏｇｒａｍ　Ｍａｐ　Ｔａｂｌｅの内容を指示に従い更新して出力することとしている。このような構成によって、“コピーを１回限り”とするコピー制御情報を有するパーシャルトランスポートストリームを外部の記憶装置に移動することができる。
【００７５】
また、前記第２制御手段は、前記インターフェースがプログラムマップテーブルのコピー制御情報を“ムーブ中”としてパーシャルトランスポートストリームの出力したとき、当該出力したパーシャルトランスポートストリームを前記第１記憶手段から消去し、出力が完了したとき、前記第２記憶手段に記憶されている当該番組付帯情報を消去する消去部を更に有することとしている。このような構成によって、ムーブによって外部の記憶装置に移したパーシャルトランスポートストリームを自装置から消去することができる。
【００７６】
また、前記制御情報には、Ｃｏｎｄｉｔｉｏｎａｌ　Ａｃｃｅｓｓ　ＴａｂｌｅとＥｎｔｉｔｌｅｍｅｎｔ　Ｍａｎａｇｅｍｅｎｔ　Ｍｅｓｓａｇｅとが含まれており、前記第１制御手段は、前記Ｃｏｎｄｉｔｉｏｎａｌ　Ａｃｃｅｓｓ　Ｔａｂｌｅに記載されたＥｎｔｉｔｌｅｍｅｎｔ　Ｍａｎａｇｅｍｅｎｔ　Ｍｅｓｓａｇｅのパケット識別子を抽出するパケット識別情報抽出部を有し、前記第２制御手段は、前記番組付帯情報に含まれるパケット識別情報のＣｏｎｄｉｔｉｏｎａｌ　Ａｃｃｅｓｓ　ＴａｂｌｅとＥｎｔｉｔｌｅｍｅｎｔ　Ｍａｎａｇｅｍｅｎｔ　Ｍｅｓｓａｇｅとのそれぞれのパケット識別子を通知する識別情報通知部を有し、前記インターフェースは、ＩＥＥＥ１３９４に規定のプロトコルに従い、出力するパーシャルトランスポートストリームから前記Ｃｏｎｄｉｔｉｏｎａｌ　Ａｃｃｅｓｓ　ＴａｂｌｅとＥｎｔｉｔｌｅｍｅｎｔ　Ｍａｎａｇｅｍｅｎｔ　Ｍｅｓｓａｇｅとを除去して出力することとしている。このような構成によって、外部の記憶装置に出力すべきでないトランスポートパケットをパーシャルトランスポートストリームから除去して、かつ、除去すべきトランスポートパケットを見つけるまで番組のエレメンタリストリームを出力できないということが回避できる。
【００７７】
また、本発明は、前記第１記憶手段に記憶されたパーシャルトランスポートストリームには、時間的に連続した少なくとも２番組が記憶されており、前記第１制御手段は、前記制御情報に含まれるＰｒｏｇｒａｍ　Ｍａｐ　Ｔａｂｌｅに記載されたビットレート情報を番組ごとに抽出するビットレート情報抽出部を有し、前記第２制御手段は、前記第２記憶手段に記憶された番組付帯情報に含まれるビットレート情報を取得し、先行する番組と後続の番組とのビットレート情報とが異なるとき、後続の番組のビットレート情報に対応する記録モードの設定指示をする記録モード指示部を有し、前記インターフェースは、記録モードの設定指示を受けると、当該番組を含むパーシャルトランスポートストリームの出力の所定時間前に外部の記憶装置に記録モードの設定を指示することとしている。このような構成によって、番組の切り換わり時に記録モードを変更するため後続の番組の先頭部分をコピーできなくなる不都合を解消することができる。
【００７８】
また、前記所定時間は、前記外部の記憶装置が記録モードの設定指示を受けて、記録動作が安定するまでの時間であることしている。このような構成によって、経験的に見つけられた記録モードの設定のタイミングを合わせることができる。
また、前記第１記憶手段に記憶されたパーシャルトランスポートストリームは、番組予約により記録されたものであり、予約番組に先行する番組がオフセットとして付加されており、前記第１制御手段は、制御情報に含まれるＥｖｅｎｔ　Ｉｎｆｏｒｍａｔｉｏｎ　Ｔａｂｌｅを参照してオフセット部分の時間を抽出するオフセット抽出部と、制御情報に含まれるＰｒｏｇｒａｍ　Ｍａｐ　Ｔａｂｌｅからオフセットの番組と予約番組とのコピー制御情報を抽出して生成するコピー制御情報生成部とを有し、前記第２制御手段は、前記第１記憶手段に記憶されたパーシャルトランスポートストリームに含まれる予約番組の開始時刻から予約番組の初期制御情報のデフォルト値の基に用いることのできる時間である所定時間α経過後の制御情報を抽出して、更新する制御情報更新部と、前記予約番組とオフセット番組とがともにコピー制御情報が「Ｆｒｅｅ」であるとき、前記外部の記憶装置に録画指示をした後、オフセットの番組の先頭からパーシャルトランスポートストリームの出力を指示する出力開始指示部と、前記制御情報更新部で更新された制御情報を前記予約番組の開始時刻より前記外部の記憶装置が記録モードの設定指示を受けて、記録動作が安定までの時間である所定時間Ｎ前にパーシャルトランスポートストリームに設定するよう指示する更新情報通知部とを有し、前記インターフェースは、外部の記憶装置に録画指示を出力した後、オフセット番組の先頭からパーシャルトランスポートストリームを出力し、予約番組の開始時刻より所定時間Ｎ前に更新された制御情報をパーシャルトランスポートストリームに設定して出力することとしている。このような構成によって、パーシャルトランスポートストリームの出力を受けた、外部の記憶装置は、コピーの目的とする予約番組を完全なパーシャルトランスポートストリームとして記録することができる。
【００７９】
また、本発明は、前記出力開始指示部は、前記予約番組のコピー制御情報が「Ｆｒｅｅ」であり、前記オフセット番組が「Ｏｎｃｅ」のとき、外部の記憶装置への録画待ちの指示をし、前記更新情報通知部が更新された制御情報をパーシャルトランスポートストリームに設定するよう指示した後に、外部の記録装置への予約番組のパーシャルトランスポートストリームの出力を指示して、録画開始を指示することとしている。このような構成によって、オフセット番組のコピーできないとの制御情報によって、予約番組までもコピーできない事態を回避することができる。
【００８０】
また、本発明は、外部の記憶装置と接続されたデジタル放送受信方法であって、受信されたトランスポートストリームから番組を構成するエレメンタリストリームと、当該番組の制御情報とを含むパーシャルトランスポートストリームを第１記憶領域に記憶させ、前記外部の記憶装置に当該番組のパーシャルトランスポートストリームを出力するための番組付帯情報を前記制御情報から抽出して生成し、当該番組を含む前記第１記憶領域に記憶させたパーシャルトランスポートストリームと対応付けて第２記憶領域に記憶させる第１制御ステップと、前記番組付帯情報に従い、前記第１記憶領域に記憶された当該番組を含むパーシャルトランスポートストリームの制御情報を更新するよう指示する第２制御ステップと、前記第２制御ステップでの指示を受けた後に前記第１記憶領域からパーシャルトランスポートストリームを読み出し、制御情報を更新して外部の記憶装置に出力する出力ステップとを有することとしている。このような方法によって、外部記憶装置に頭切れのない完全なパーシャルトランスポートストリームを出力することができる。
【００８１】
同様に本発明は、外部の記憶装置と接続されたデジタル放送受信装置に適用されるデジタル放送受信プログラムであって、受信されたトランスポートストリームから番組を構成するエレメンタリストリームと、当該番組の制御情報とを含むパーシャルトランスポートストリームを第１記憶領域に記憶させ、前記外部の記憶装置に当該番組のパーシャルトランスポートストリームを出力するための番組付帯情報を前記制御情報から抽出して生成し、当該番組を含む前記第１記憶領域に記憶させたパーシャルトランスポートストリームと対応付けて第２記憶領域に記憶させる第１制御ステップと、前記番組付帯情報に従い、前記第１記憶領域に記憶された当該番組を含むパーシャルトランスポートストリームの制御情報を更新するよう指示する第２制御ステップと、前記第２制御ステップでの指示を受けた後に前記第１記憶領域からパーシャルトランスポートストリームを読み出し、制御情報を更新して外部の記憶装置に出力する出力ステップとの各ステップをコンピュータに実行させることとしている。このデジタル放送受信プログラムを大容量の記憶装置を内蔵するデジタル放送受信装置に適用すると、外部の記憶装置に頭切れのない完全なパーシャルトランスポートストリームを出力することができる。
【図面の簡単な説明】
【図１】本発明に係るデジタル放送受信装置の実施の形態１の構成図である。
【図２】上記実施の形態のＨＤＤに記憶されたパーシャルＴＳを模式的に示した図である。
【図３】上記実施の形態のＨＤＤに記憶されたパーシャルＴＳ−Ｉの構成図の一例である。
【図４】（ａ）は、上記実施の形態のＴＳデコーダに入力されるＴＳに含まれるＰＭＴの内容の一例を示す図である。
（ｂ）は、上記実施の形態のＨＤＤに記憶されるパーシャルＴＳに含まれるＰＭＴの内容の一例を示す図である。
【図５】上記実施の形態のフラッシュＲＯＭに記憶される番組付帯情報の一例を示す図である。
【図６】上記実施の形態のＨＤＤへのパーシャルＴＳの録画時の番組付帯情報の記録動作を説明するフローチャートである。
【図７】上記実施の形態のＶＣＲへのパーシャルＴＳの出力動作を説明するフローチャートである。
【図８】本実施の形態２のフラッシュＲＯＭに記憶される番組付帯情報の一例を示す図である。
【図９】上記実施の形態のＨＤＤに予約録画された番組ＣとそのオフセットとからなるパーシャルＴＳを示す模式図である。
【図１０】上記実施の形態の動作を説明するフローチャートである。
【図１１】図１０のフローチャートのＳ１３１０の詳細な動作を説明するフローチャート（その１）である。
【図１２】図１０のフローチャートのＳ１３１０の詳細な動作を説明するフローチャート（その２）である。
【図１３】図１０のフローチャートのＳ１３１２の詳細な動作を説明するフローチャートである。
【図１４】（ａ）は、デジタル放送受信装置に記憶されたパーシャルＴＳを模式的に示した図である。
（ｂ）は、従来のデジタル放送受信装置から外部の記憶装置に出力されるパーシャルＴＳを模式的に示した図である。
【図１５】従来のデジタル放送受信装置から外部の記憶装置に出力されたパーシャルＴＳと外部の記憶装置でコピーされたパーシャルＴＳとを模式的に示した図である。
【図１６】従来のデジタル放送受信装置から外部の記憶装置に出力されたパーシャルＴＳがそのコピー制御情報によって外部の記憶装置でコピーできなくなった状態を説明する図である。
【符号の説明】
４０１　ＨＤＤ
４０２　チューナ
４０３　復調部
４０４デ・スクランブラ
４０５　ＴＳデコーダ
４０６　画像デコーダ
４０７　モニタ
４０８　音声デコーダ
４０９　スピーカ
４１０　ＣＰＵ
４１１　フラッシュＲＯＭ
４１２　メモリ
４１３　デジタルＩ／Ｆ
４２０　ＶＣＲ
【図１】
2004104752.tif 000003
【図２】
2004104752.tif 000004
【図３】
2004104752.tif 000005
【図４】
2004104752.tif 000006
【図５】
2004104752.tif 000007
【図６】
2004104752.tif 000008
【図７】
2004104752.tif 000009
【図８】
2004104752.tif 000010
【図９】
2004104752.tif 000011
【図１０】
2004104752.tif 000012
【図１１】
2004104752.tif 000013
【図１２】
2004104752.tif 000014
【図１３】
2004104752.tif 000015
【図１４】
2004104752.tif 000016
【図１５】
2004104752.tif 000017
【図１６】
2004104752.tif 000018